(57)【要約】【課題】側面から背面側まで照射することが可能な扁平型ランプ装置を提供する。【解決手段】扁平型ランプ装置は、扁平な基材２と、基材上に配置された法線方向への指向性の強い配光を有する光源４と、光源を覆う透光カバー６と、を備えている。透光カバー６は、少なくとも光源の一部の上面を覆うように配置された光取入れ部６ａと、取入れた光を前記光源より外側へ湾曲導光して、前記基材の側面あるいは背面側へ放出する導光放出部６ｂと、を有する。【選択図】図１ａ
2013101901.tif 000002
【特許請求の範囲】
【請求項１】
扁平な基材と、
前記基材上に配置された法線方向への指向性の強い配光を有する光源と、
前記光源を覆う透光カバーと、を備え、
前記透光カバーは、少なくとも光源の一部の上面を覆うように配置された光取入れ部と、取入れた光を前記光源より外側へ湾曲導光して、前記基材の側面あるいは背面側へ放出する導光放出部と、を有する扁平型ランプ装置。
【請求項２】
前記基材は、平坦な前面部を有し、前記光源が前記前面部の中央部に設けられ、
前記透光カバーは、前記光源に対向する前記光取入れ部と、この光取入れ部の周囲に位置する前記導光放出部と、を有し、主に前記導光放出部の外周部から側面側あるいは背面側へ光を放出する請求項１記載の扁平型ランプ装置。
【請求項３】
前記透光カバーの光取入れ部は、前記透光カバーの外面側に突出する少なくとも１つの突起部を有する請求項１又は２に記載の扁平型ランプ装置。
【請求項４】
前記基材は、平坦な前面部を有し、前記光源が前記前面部の周縁部に複数並んで設けられ、前記透光カバーは、前記光源の少なくとも一部に対向する前記光取入れ部と、この光取入れ部から取入れた光を前記光源より外側に湾曲導光して先端部分から側面側あるいは背面側へ光を放出する前記導光放出部と、を有する請求項１に記載の扁平型ランプ装置。
【請求項５】
前記透光カバーは、前記光源から取入れた光を、前記基材の中央領域に湾曲導光して放出する他の導光放出部を有している請求項４に記載の扁平型ランプ装置。
【請求項６】
前記透光カバーは、前記基材の中心軸に対して回転対称な形状を有し、周辺に向かって回転対象に光を放出する請求項１ないし５のいずれか１項に記載の扁平型ランプ装置。
【請求項７】
前記透光カバーの光取入れ部および導光放出部の少なくとも一方は、前記基材の中心軸に対して非回転対称な形状を有し、特定の方向に向かって強く光を放出する請求項１ないし５のいずれか１項に記載の扁平型ランプ装置。
【請求項８】
前記光取入れ部あるいは導光放出部のいずれかは、前記基材の前面部と平行な線に対して線対称形状であり、対向する２方向に向かって強く光を放出する請求項７に記載の扁平型ランプ装置。
【請求項９】
前記透光カバーは、少なくとも一部の表面にシボが形成されている請求項１ないし８のいずれか１項に記載の扁平型ランプ装置。
【請求項１０】
前記透光カバーは、少なくとも一部の表面に塗装あるいは反射部材が接着されている請求項１ないし８のいずれか１項に記載の扁平型ランプ装置。
【請求項１１】
前記透光カバーは、少なくとも一部に散乱フィラを含有している請求項１ないし８のいずれか１項に記載の扁平型ランプ装置。
【請求項１２】
扁平な基材と、
前記基材上に配置され、法線方向への指向性の強い配光を有する光源と、
前記光源を覆う第１透光カバーと、
前記第１透光カバーの少なくとも一部を覆う第２透光カバーと、を備え、
前記第１透光カバーは、少なくとも前記光源の一部の上面を覆うように配置された光取入れ部と、取入れた光を前記光源より外側へ湾曲導光して、前記基材の側面あるいは背面側へ放出する導光放出部と、を有する扁平型ランプ装置。
【請求項１３】
前記基材は、平坦な前面部を有し、前記光源が前記前面部の中央部に設けられ、前記第１透光カバーは、前記光源に対向する前記光取入れ部と、この光取入れ部の周囲に位置する前記導光放出部と、を有し、主に前記導光放出部の外周部から側面側あるいは背面側へ光を放出する請求項１２に記載の扁平型ランプ装置。
【請求項１４】
前記基材は、平坦な前面部を有し、前記光源が前記前面部の周縁部に複数並んで設けられ、前記第１透光カバーは、前記光源の少なくとも一部に対向する前記光取入れ部と、この光取入れ部から取入れた光を前記光源より外側に湾曲導光して外周部から側面側あるいは背面側へ光を放出する前記導光放出部と、を有する請求項１２に記載の扁平型ランプ装置。
【請求項１５】
前記第１透光カバーは、前記基材の中心軸に対して回転対称な形状を有し、周辺に向かって回転対称に光を放出する請求項１２ないし１４のいずれか１項に記載の扁平型ランプ装置。
【請求項１６】
前記第１透光カバーもしくは前記第２透光カバーの少なくとも一部の表面にシボが形成されている請求項１２ないし１５のいずれか１項に記載の扁平型ランプ装置。
【請求項１７】
前記第１透光カバーもしくは前記第２透光カバーの少なくとも一部の表面に塗装あるいは反射部材が接着されている請求項１２ないし１５のいずれか１項に記載の扁平型ランプ装置。
【請求項１８】
前記第１透光カバーもしくは前記第２透光カバーの少なくとも一部に散乱フィラを含有している請求項１２ないし１５のいずれか１項に記載の扁平型ランプ装置。
【請求項１９】
前記第１透光カバーもしくは前記第２透光カバーの少なくとも一部にローレット加工が施されている請求項１２ないし１５のいずれか１項に記載の扁平型ランプ装置。
【発明の詳細な説明】
【技術分野】
【０００１】
本発明の実施形態は、例えばＧＸ５３形口金を有する扁平型のランプ装置に関する。
【背景技術】
【０００２】
扁平かつコンパクトなランプ装置として、例えばＧＸ５３形口金を用いた扁平円筒型のランプ装置が知られている。このような扁平型ランプ装置では、扁平なＧＸ５３形口金を用いるとともに、扁平な本体に扁平に光源を配置し、扁平なカバーを組み合わせることで、全体として扁平なランプ装置を実現している。扁平型ランプ装置において、側面あるいは背面側まで照射する用途に対応する技術としては、カバー部材の周縁部をランプ装置の側面側まで延ばし、導光する技術がある。
【先行技術文献】
【特許文献】
【０００３】
【特許文献１】特開２００８−１４０６０６号公報
【特許文献２】特開２０１０−１９２３３８号公報
【発明の概要】
【発明が解決しようとする課題】
【０００４】
扁平型ランプ装置では、扁平面の法線方向に強く光を照射し、ランプ装置の側面あるいは背面側には極端に弱い光しか放出することができない。この傾向は、ＬＥＤ光源を用いた場合に特に顕著となる。カバー部材を用いた場合でも、ランプ装置の側面から背面側への照度が弱い。
【０００５】
この発明は以上の点を鑑みてなされたもので、その課題は、側面から背面側まで照射することが可能な扁平型ランプ装置を提供することにある。
【課題を解決するための手段】
【０００６】
実施形態によれば、扁平型のランプ装置は、扁平な基材と、前記基材上に配置された法線方向への指向性の強い配光を有する光源と、前記光源を覆う透光カバーと、を備え、前記透光カバーは、少なくとも光源の一部の上面を覆うように配置された光取入れ部と、取入れた光を前記光源より外側へ湾曲導光して、前記基材の側面あるいは背面側へ放出する導光放出部と、を有する。
【図面の簡単な説明】
【０００７】
【図１ａ】図１ａは、第１の実施形態に係る扁平型ランプ装置を示す断面図。
【図１ｂ】図１ｂは、第１の実施形態に係る扁平型ランプ装置の配光分布を示す図。
【図２ａ】図２ａは、第２の実施形態に係る扁平型ランプ装置を示す断面図。
【図２ｂ】図２ｂは、第２の実施形態に係る扁平型ランプ装置の配光分布を示す図。
【図３ａ】図３ａは、第３の実施形態に係る扁平型ランプ装置を示す断面図。
【図３ｂ】図３ｂは、第３の実施形態に係る扁平型ランプ装置の配光分布を示す図。
【図４ａ】図４ａは、第４の実施形態に係る扁平型ランプ装置を示す断面図。
【図４ｂ】図４ｂは、第４の実施形態に係る扁平型ランプ装置の配光分布を示す図。
【図５ａ】図５ａは、第５の実施形態に係る扁平型ランプ装置を示す断面図。
【図５ｂ】図５ｂは、第５の実施形態に係る扁平型ランプ装置の配光分布を示す図。
【図６ａ】図６ａは、第６の実施形態に係る扁平型ランプ装置を示す断面図。
【図６ｂ】図６ｂは、第６の実施形態に係る扁平型ランプ装置の配光分布を示す図。
【図７】図７は、第６の実施形態の変形例に係る扁平型ランプ装置を示す断面図。
【図８ａ】図８ａは、第７の実施形態に係る扁平型ランプ装置を示す断面図。
【図８ｂ】図８ｂは、第７の実施形態に係る扁平型ランプ装置の配光分布を示す図。
【図９ａ】図９ａは、第８の実施形態に係る扁平型ランプ装置を示す断面図。
【図９ｂ】図９ｂは、第８の実施形態に係る扁平型ランプ装置の平面図。
【図１０ａ】図１０ａは、第９の実施形態に係る扁平型ランプ装置を示す断面図。
【図１０ｂ】図１０ｂは、第９の実施形態に係る扁平型ランプ装置の基材、基板および光源を示す平面。
【図１０ｃ】図１０ｃは、第９の実施形態に係る扁平型ランプ装置の配光分布を示す図。
【図１１】図１１は、第１０の実施形態に係る扁平型ランプ装置を示す断面図。
【図１２ａ】図１２ａは、第１１の実施形態に係る扁平型ランプ装置を示す断面図。
【図１２ｂ】図１２ｂは、第１１の実施形態に係る扁平型ランプ装置の基材、基板および光源を示す平面図。
【図１２ｃ】図１２ｃは、第１１の実施形態に係る扁平型ランプ装置の配光分布を示す図。
【発明を実施するための形態】
【０００８】
以下、図面を参照しながら、種々の実施形態に係る扁平型のランプ装置について詳細に説明する。  
（第１の実施形態）  
図１ａは、第１の実施形態に係る扁平型ランプ装置１を示す断面図である。扁平型ランプ装置１は、扁平な円筒形状であり、図示した断面を中心軸に対して回転させた形状を有している。
【０００９】
扁平型ランプ装置１は、扁平な円盤状の基材２、口金３、光源４を実装した基板５、透光カバー６を備えている。基材２は金属製であり、平坦な前面部２ａおよび前面部の周縁に立設された円筒状の側壁２ｂを有している。基材２は、光源４で発生した熱のヒートシンクであるとともに、図示しない放熱構造より外部に放熱する機能を有している。
【００１０】
口金３は、扁平なＧＸ５３形ソケットに適合する段付きの円盤状に形成され、基材２の下面側に埋め込まれている。口金３は、ＧＸ５３形ソケットに適合する複数の端子３ａを有し、内部に駆動回路３ｂを収納している。端子３ａを通して通電され駆動回路３ｂにより発生した駆動電力により、基板５を介して光源４を点灯している。
【００１１】
光源４は、ＬＥＤを用いており、基板５上に実装されている。そして、基板５および光源４は、基材２の前面部２ａのほぼ中心に配置されている。光源４は、基板５の法線方向、すなわち扁平面の法線方向に強い光を照射し、法線方向からの角度をθとするとき、ｃｏｓθに比例して側面方向への光度が弱くなっていく指向性を有している。実施形態では、直径８０ｍｍの基材２に対して、その中央にチップ集約型のＬＥＤを光源４として配置している。
【００１２】
透光カバー６は、ポリカーボネート、アクリル等の透明樹脂により、ほぼ円盤状に形成されている。透光カバー６は、光源４を覆うように、基材２の上部に被せられ、透光カバー６の周縁部が基材２の側壁２ｂ上部に固定されている。透光カバー６の表面は、透けないようにシボが形成されている。
【００１３】
透光カバー６は、その中央に光源４に対向する光取入れ部６ａと、この光取入れ部から径方向外方に延出し、光取入れ部の周囲を取り囲む環状の導光放出部６ｂと、導光放出部の端部、すなわち、透光カバー６の外周縁部に位置し基材２に密閉固定された固定部６ｃと、を一体に有している。
【００１４】
光取入れ部６ａは、導光放出部６ｂに光を取り込む略円錐形状の内面と、その中心側に前方に光を取り込む面とで構成され、外面中心部には前方に、取り込まれた光を拡散させる略円錐状の突起部６ｄが設けられている。導光放出部６ｂは、光取入れ部６ａから湾曲して周囲の固定部６ｃまで連なり、全体としてカバーの役割を果たしている。導光放出部６ｂは、光取入れ部６ａから取り込まれた光を外方向に湾曲導光して外部に放出する。導光放出部６ｂの先端は、先細りになるとともに基材２の側壁２ｂ外側に折れ曲がり、基材２の側面から背面側へ光を照射する。
【００１５】
このような透光カバー６は、光源４から放出された扁平面の法線方向に指向性の強い光を光取入れ部６ａで透光カバー６内部に取り込み、突起部６ｄと周囲の導光放出部６ｂから側面あるいは背面に向けて照射することができる。また、透光カバー６は、周辺に向かって回転対象に光を放出する。
【００１６】
図１ｂは、扁平型ランプ装置１の配光分布を示している。この図から分かるように、透光カバー６により、側面から背面側にかけてもかなりの光が照射されており、広い配光の扁平型ランプ装置１を実現している。
【００１７】
なお、透光カバー６の表面処理については、内面に拡散材を塗布あるいは２色成型することで光を取り出すようにしてもよいし、透明材料自体に若干の拡散フィラを入れて透け防止や配光拡大を行ってもよい。
【００１８】
次に、他の実施形態に係る照明装置について説明する。後述する他の実施形態において、前述した第１の実施形態と同一の部分には同一の参照符号を付してその詳細な説明を省略する。
【００１９】
（第２の実施形態）  
図２ａは、第２の実施形態に係る扁平型ランプ装置１を示す断面図である。ランプ装置１の基本的な構成は第１の実施形態と同じであり、透光カバー６の構成が一部相違している。第２の実施形態では、透光カバー６は、突起部６ｄを無くし、外面全体をほぼ平坦に近づけている。ただし、光源４に対向する透光カバー６の中心部分から光が前方に強く漏れるのを抑制するため、導光放出部６ｂの光取入れ部６ａ側の部分が他の部分よりも厚く形成されている。
【００２０】
また、導光放出部６ｂの先端に、基材２の側壁２ｂとの密閉固定部６ｃを設けているため、若干背面側への照射が弱くなるが、側面方向へはかなり強く照射させることが可能である。図２ｂは、扁平型ランプ装置１の配光分布を示している。この図から分かるように、透光カバー６により、側面から背面側にかけてもかなりの光が照射されており、広い配光の扁平型ランプ装置１を実現している。
【００２１】
（第３の実施形態）  
図３ａは、第３の実施形態に係る扁平型ランプ装置１を示す断面図である。ランプ装置１の基本的な構成は第１の実施形態と同じであり、透光カバー６の構成が一部相違している。第３の実施形態では、透光カバー６の外観を既存の円筒イメージに近づけるべく、導光放出部６ｂの外周側先端をほぼ直角に折曲げ、円筒状の周壁６ｅを形成している。また、基材２は、側壁２ｂを無くした扁平な円盤状に形成されている。透光カバー６は、光源４および基材２の前面部２ａを覆い、周壁６ｅの先端が基材２に固定されている。
【００２２】
このように構成された透光カバー６においても、導光放出部６ｂの先端から側面側および背面側へ光を強く照射させることが可能である。図３ｂは、扁平型ランプ装置１の配光分布を示している。この図から分かるように、透光カバー６により、側面から背面側にかけてもかなりの光が照射されており、広い配光の扁平型ランプ装置１を実現している。
【００２３】
（第４の実施形態）  
図４ａは、第４の実施形態に係る扁平型ランプ装置１を示す断面図である。ランプ装置１の基本的な構成は第１の実施形態と同じであり、透光カバー６の構成が一部相違している。第４の実施形態では、透光カバー６を薄くして量産性を向上すべく、光取入れ部６ａの外面側の突起部６ｄを断面で２つ（立体視すると環状に峰が連なる形状の突起部）として、導光放出部６ｂの光取入れ部６ａ側の厚さを薄くしている。透光カバー６の外観を既存の円筒イメージに近づけるべく、導光放出部６ｂの外周側先端をほぼ直角に折曲げ、円筒状の周壁６ｅを形成している。
【００２４】
このため、導光放出部６ｂから放出される光量が小さくなり、図４ｂに示すように、配光分布としてはやや前方に偏ったものとなるが、背面側も確実に照射することができている。
【００２５】
（第５の実施形態）  
図５ａは、第５の実施形態に係る扁平型ランプ装置１を示す断面図である。第５の実施形態によれば、扁平な円盤状の基材２の前面部２ａ上に基板５が実装され、この基板上に、複数の表面実装型のＬＥＤが基材２と同軸のサークル状に並べて実装され、光源４を構成している。
【００２６】
透光カバー６は、平坦な板状に形成された中央部と、中央部の外周側に形成されて光源４に対向する環状の光取入れ部６ａと、光取入れ部６ａから径方向外方かつ前方へ湾曲して延出する環状の導光放出部６ｂと、を有している。更に透光カバー６は、導光放出部６ｂの中途部から基材２側に延出する筒状の固定部６ｃを有し、この固定部６ｃを介して基材２の前面部２ａに固定されている。
【００２７】
上記構成によれば、光源４がサークルの円周に沿って複数分散しているため、個々の光源４を構成する各ＬＥＤの径方向幅が前述の実施形態と比べて大幅に縮小され、透光カバー６の光取入れ部６ａの径方向幅を大幅に縮小することができる。光取入れ部６ａに続く導光放出部６ｂの厚さも薄くすることができ、材料重量や成型性に優れた透光カバー６を実現している。
【００２８】
また、光源４が周辺にサークル状に配置しているため、照明装置として組み立てたときのブラケットやシェードが隣接しても、極めてムラが出にくい構成となる。基材２の周縁部に配置された光源４から側面あるいは背面側に光を導光放出するため、透光カバー６の内部を通過する光の伝播距離が短くなり、透光カバー６による光の吸収が低減され効率も向上する。
【００２９】
図５ｂは、扁平型ランプ装置１の配光分布を示している。この図から分かるように、透光カバー６により、側面から背面側にかけてもかなりの光が照射されており、広い配光の扁平型ランプ装置１を実現している。
【００３０】
（第６の実施形態）  
図６ａは、第６の実施形態に係る扁平型ランプ装置１を示す断面図である。ランプ装置１の基本的な構成は第５の実施形態と同じであり、透光カバー６の構成が一部相違している。第６の実施形態によれば、透光カバー６は、光源４の内側にも導光放出部６ｂを追加し、内面側に放出される光もランプ装置１の側面側に向くように構成した。
【００３１】
このため、照明装置として組み立てたときのブラケットやシェードがランプ装置１に隣接しても、一層、ムラが出にくくなる。
【００３２】
図６ｂは、扁平型ランプ装置１の配光分布を示している。この図から分かるように、透光カバー６により、側面から背面側にかけてもかなりの光が照射されており、広い配光の扁平型ランプ装置１を実現している。
【００３３】
図７は、第６の実施形態の変形例に係る扁平型ランプ装置１を示す断面図である。ここでは、照明装置として組み立てたときのブラケットやシェードが隣接しても、サークル状に配置した光源４の内側が暗くなることをさらに改善するため、基材２に設けられた基板５の中央部にも光源４を設け、更に、透光カバー６の中央にも光源４と対向する中央側の光取入れ部６ａおよび導光放出部６ｂを設けたものである。
【００３４】
（第７の実施形態）  
図８ａは、第７の実施形態に係る扁平型ランプ装置１を示す断面図である。ランプ装置１の基本的な構成は第５の実施形態と同じであり、透光カバー６の構成が一部相違している。第７の実施形態によれば、透光カバー６は、基材２の中央部と対向する領域、すなわち、光源４の内側の領域、にも導光放出部６ｆを有している。この内側の導光放出部６ｆは、透光カバー６の中央領域で広く面状に発光するように凸凹形状としている。
【００３５】
図８ｂは、扁平型ランプ装置１の配光分布を示している。この図から分かるように、透光カバー６により、側面から背面側にかけてもかなりの光が照射され、更に、前面中央領域の光照射もあり、広い配光の扁平型ランプ装置１を実現している。
【００３６】
（第８の実施形態）  
図９ａは、第８の実施形態に係る扁平型ランプ装置１を示す断面図、図９ｂは扁平型ランプ装置の平面図である。本実施形態によれば、透光カバー６の光取入れ部６ａと導光放出部６ｂは、回転対称な形状ではなく、基材２の前面部２ａと平行な線に対して、線対称の形状に形成されている。すなわち、光源４に対向する光取入れ部５と、この光取入れ部から外周側および中心側に延びる２つの導光放出部６ｂと、を有する導光部７が、光源４に合わせて複数並んで設けられている。このように光取入れ部６ａおよび導光放出部６ｂの少なくとも一方は、ここでは、両方は、基材２の中心軸に対して非回転対称な形状を有し、特定の方向に向かって強く光を放出する
このような構成のランプ装置によれば、側面側に強く放出する配光分布であることは前述の実施形態と同様であるが、特に図９ｂで上下方向に強く光を照射するようにしている。これにより、光源４を遮蔽し上下方向に光を照射するような照明器具に適した扁平型ランプ装置１が実現できる。なお、本実施形態では上下方向に特化して配光を強めた例を示したが、強める方向は１つでもよいし、３つ以上でもよい。
【００３７】
上述した第２ないし第８の実施形態によれば、第１の実施形態と同様に、側面から背面側まで照射することが可能な扁平型ランプ装置を提供することができる。
【００３８】
上述した第２ないし第８の実施形態では、内部が透けるのを防止するため、透光カバー６の表面全体あるいは少なくとも一部にシボ加工を施しているが、シボ加工の代わりに塗装を施してもよいし、乳白部材で２色成型してもよい。また、樹脂材料に若干の拡散フィラを混ぜて薄い乳白としてもよい。また、透光カバーの少なくとも一部の表面に反射部材を接着固定してもよい。
【００３９】
透光カバーからの光取出し構造については、シボや拡散部材の接合で取出し構造を設けてもよいし、透光カバーを構成する材料自体に若干の散乱フィラを混入して散乱させて取り出してもよい。光源の数や種類も特に規定するものではなく、前方に強い指向性のある光源であれば本発明の作用を適用することができる。
【００４０】
（第９の実施形態）  
図１０ａは、第９の実施形態に係る扁平型ランプ装置１を示す断面図、図１０ｂは扁平型ランプ装置の基材、基板、光源を示す平面図である。本実施形態によれば、扁平型ランプ装置１は、扁平な円筒形状であり、図示した断面を中心軸に対して回転させた形状を有している。
【００４１】
扁平型ランプ装置１は、扁平な円盤状の基材２、口金３、光源４を実装した基板５、第１透光カバー６、第２透光カバー８を備えている。基材２は金属製であり、中央下側がくりぬかれた構造であり、上面は平坦な前面部２ａを有している。基材２は、光源４で発生した熱のヒートシンクであるとともに、図示しない放熱構造より外部に放熱する機能を有している。
【００４２】
口金３は、扁平なＧＸ５３形ソケットに適合する段付きの円盤状に形成され、基材２の下面側に埋め込まれている。口金３は、ＧＸ５３形ソケットに適合する複数の端子３ａを有し、内部に駆動回路３ｂを収納している。端子３ａを通して通電され駆動回路３ｂにより発生した駆動電力により、基板５を介して光源４を点灯する。
【００４３】
図１０ａおよび図１０ｂに示すように、基板５は、中央部が円形にくりぬかれたドーナッツ型をなし、基材２の前面部２ａ上に同軸的に配置されている。光源４は、基板５上に実装され、基板５の外径と内径のほぼ中間部にリング状に複数個、間隔を置いて配置されている。光源４は、基板５の法線方向、すなわち扁平面の法線方向に強い光を照射し、法線方向からの角度をθとするとき、ｃｏｓθに比例して側面方向への光度が弱くなっていく指向性を有している。
【００４４】
第１透光カバー６は、ポリカーボネートやアクリル等の透明樹脂により、中央部が円形にくりぬかれたドーナッツ状に形成されている。第１透光カバー６は、光源４を覆うように、基材２の上部に被せられ、第１透光カバー６の円筒状の周縁部（固定部）６ｃが基材２上に固定されている。第１透光カバー６の表面は、中が透けて見えないようにシボが形成されている。
【００４５】
第２透光カバー８は、ポリカーボネートやアクリル等の透明樹脂により扁平な円錐台形状に形成されている。第２透光カバー８は、基材２および第１透光カバー６上を覆って設けられ、その外周端面は第１透光カバー６の上端部に超音波溶接等により固定されている。第２透光カバー８の表面は、中が透けて見えないようシボが形成されている。第２透光カバー８は、光源４や基板５などが外部に露出することを防ぐ役目や、外観上のデザイン性を演出する役目などを担っている。
【００４６】
第１透光カバー６は、光源４に対向する環状の光取入れ部６ａと、この光取入れ部６ａから径方向外方かつ前方へ湾曲して延出する環状の導光放出部６ｂと、導光放出部６ｂの端部、すなわち、第１透光カバー６の周縁部に位置し基材２に密閉固定された固定部６ｃと、を一体に有している。導光放出部６ｂは、光取入れ部６ａから湾曲して周囲の固定部６ｃまで連なっている。導光放出部６ｂは、光取入れ部６ａから取り込まれた光を外方向に湾曲導光して、その端面より側面方向および背面方向に向けて光を放出する。
【００４７】
このような第１透光カバー６は、光源４から放出された扁平面の法線方向に指向性の強い光を光取入れ部６ａで第１透光カバー６内部に取り込み、導光放出部６ｂから側面および背面に向けて照射することができる。また、第１透光カバー６は、周辺に向かって回転対称に光を放出する。
【００４８】
さらに、上記構成によれば、光源４がサークルの円周に沿って複数分散するため、個々の光源４の径方向幅を小さくでき、第１透光カバー６の光取入れ部６ａの径方向幅を大幅に縮小することができる。これにより、光取入れ部６ａに続く導光放出部６ｂの厚さも薄くすることができ、材料重量や成型性に優れた第１透光カバー６を実現している。
【００４９】
また、第１透光カバー６は、基材２の周縁部に配置された光源４から側面あるいは背面側に光を導光放出するため、第１透光カバー６の内部を通過する光の伝播距離が短くなり、第１透光カバー６による光の吸収が低減され効率も向上する。
【００５０】
図１０ｃは、扁平型ランプ装置１の配光分布を示している。この図から分かるように、第１透光カバー６により、側面から背面側にかけてもかなりの光が照射され、広い配光の扁平型ランプ装置１を実現している。
【００５１】
なお、第１透光カバー６および第２透光カバー８の表面処理については、内面に拡散材を塗布あるいは２色成型することで光を取り出すようにしてもよいし、透明材料自体に若干の拡散フィラを入れて透け防止や配光拡大を行ってもよい。
【００５２】
（第１０の実施形態）  
図１１は、第１０の実施形態に係る扁平型ランプ装置１を示す断面図である。ランプ装置１の基本的な構成は第９の実施形態と同じであり、光源４、基板５および第１透光カバー６が第９の実施形態に比べて、径方向に一回り小さい形状に形成されている。また、第２透光カバー８の構成が第９の実施形態と一部相違している。第１０の実施形態では、第２透光カバー８は、第１透光カバー６の上面だけでなく、第１透光カバー６の周縁部（固定部６ｃ）も覆い、すなわち、第１透光カバー６の全面を覆う形状に形成されている。そして、第２透光カバー８は、その外周底面部を介して基材２上端部に固定されている。  
上記構成によれば、光源４から放出された扁平面の法線方向に指向性の強い光を光取入れ部６ａで第１透光カバー６内部に取り込み、導光放出部６ｂから側面および背面に向けて照射することができるため、第９の実施形態とほぼ同様な配光分布を得ることができる。更に、本実施形態によれば、全面を一様な第１透光カバーで覆うことにより、ランプ装置の外観上のデザイン性が大幅に向上すること、第２透光カバー８を基材２に直接、固定しているため、取り付け構造や取り付けプロセスが簡易になるなどの利点がある。
【００５３】
（第１１の実施形態）  
図１２ａは、第１１の実施形態に係る扁平型ランプ装置１を示す断面図、図１２ｂは、基材２、光源４および基板５を示す平面図である。ランプ装置１の基本的な構成は、第９の実施形態と同じであり、光源４、基板５および第１透光カバー６の構成が、第９の実施形態と一部相違している。第１１の実施形態によれば、チップ集約型のＬＥＤを光源４として用い、基板５および光源４はほぼ真円状を成し、基材２のほぼ中心に光源４が配置されている。
【００５４】
第１透光カバー６は、その中央に光源４に対向する光取入れ部６ａと、この光取入れ部から径方向外方に延出し、光取入れ部６ａの周囲を取り囲む環状の導光放出部６ｂと、導光放出部の端部、すなわち、透光カバー６の外周縁部に位置し基材２に密閉固定された固定部６ｃと、を一体に有している。
【００５５】
光取入れ部６ａには、導光放出部６ｂに光を取り込む略円錐形状の内面が形成されている。導光放出部６ｂは、光取入れ部６ａから取り込まれた光を外方向に湾曲導光して、その端面より側面方向および背面方向に向けて光を放出する。
【００５６】
このような第１透光カバー６は、光源４から放出された法線方向に指向性の強い光を光取入れ部６ａで第１透光カバー６内部に取り込み、導光放出部６ｂから側面および背面に向けて照射することができる。また、第１透光カバー６は、周辺に向かって回転対称に光を放出する。
【００５７】
第２透光カバー８は、透明樹脂により扁平な円錐台形状に形成されている。第２透光カバー８は第１透光カバー６上を覆って設けられ、その外周端面は第１透光カバー６の外周部上端に超音波溶接等により固定されている。第２透光カバー８の表面は、中が透けて見えないようシボが形成されている。第２透光カバー８は、光源４や基板５などが外部に露出することを防ぐ役目や、外観上のデザイン性を演出する役目などを担っている。
【００５８】
図１２ｃは、扁平型ランプ装置１の配光分布を示している。この図から分かるように、第１透光カバー６により、側面から背面側にかけてもかなりの光が照射されており、広い配光の扁平型ランプ装置１を実現している。
【００５９】
本実施形態によれば、第２透光カバー８上の輝度分布が前述の第９および第１０の実施形態の配光分布とは異なるという特徴を持つ。すなわち、第９および第１０の実施形態では光源４の配置がサークル状であるため、第２透光カバー８上には高輝度部がドーナッツ状となる輝度分布が形成されるが、本実施形態では、光源４が中央部に配置されているため、透光カバー８上には中央が高輝度部となる輝度分布が形成される。
【００６０】
上述した第９ないし第１１の実施形態においても、第１の実施形態と同様に、側面から背面側まで照射することが可能な扁平型ランプ装置を提供することができる。
【００６１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。  
実施形態では、内部が透けるのを防止するため、第１透光カバー６および第２透光カバー８の表面全体あるいは少なくとも一部にシボ加工を施しているが、シボ加工の代わりに塗装を施してもよいし、乳白部材で２色成型してもよい。また、樹脂材料に若干の拡散フィラを混ぜて薄い乳白としてもよい。透光カバーの少なくとも一部の表面に反射部材を接着固定してもよい。また、それらの面上にローレット加工を施してもよい。
【００６２】
第１透光カバー６および第２透光カバー８の光取出し構造については、シボや拡散部材の接合で取出し構造を設けてもよいし、それらを構成する材料自体に若干の散乱フィラを混入して散乱させてもよいし、それらの面上にローレット加工を施し、取り出してもよい。光源の数や種類は、特に実施形態に限定されるものではなく、ＬＥＤに限らず、前方に強い指向性のある光源であれば本発明の作用を適用することができる。
【符号の説明】
【００６３】
１…扁平型ランプ装置、２…基材、２ａ…前面部、３…口金、４…光源、
６…透光カバー、６ａ…光取入れ部、６ｂ、６ｆ…導光放出部、６ｃ…固定部、
８…第２透孔カバー
【図１ａ】
2013101901.tif 000003
【図１ｂ】
2013101901.tif 000004
【図２ａ】
2013101901.tif 000005
【図２ｂ】
2013101901.tif 000006
【図３ａ】
2013101901.tif 000007
【図３ｂ】
2013101901.tif 000008
【図４ａ】
2013101901.tif 000009
【図４ｂ】
2013101901.tif 000010
【図５ａ】
2013101901.tif 000011
【図５ｂ】
2013101901.tif 000012
【図６ａ】
2013101901.tif 000013
【図６ｂ】
2013101901.tif 000014
【図７】
2013101901.tif 000015
【図８ａ】
2013101901.tif 000016
【図８ｂ】
2013101901.tif 000017
【図９ａ】
2013101901.tif 000018
【図９ｂ】
2013101901.tif 000019
【図１０ａ】
2013101901.tif 000020
【図１０ｂ】
2013101901.tif 000021
【図１０ｃ】
2013101901.tif 000022
【図１１】
2013101901.tif 000023
【図１２ａ】
2013101901.tif 000024
【図１２ｂ】
2013101901.tif 000025
【図１２ｃ】
2013101901.tif 000026